(57)【要約】【課題】本発明は、地震時に引張力を負担可能にしつつ、木質ブレースの破損を抑制することができる木質ブレース構造を提供することを目的とする。【解決手段】木質ブレース構造２０は、架構１０に設けられ、互いに対向する一対の連結ベース２４Ｃと、材軸方向に延びる貫通孔３４を有し、一対の連結ベース２４Ｃの間に配置される木質ブレース３０と、貫通孔３４に貫通された状態で、一対の連結ベース２４Ｃ同士を連結する引張線材４０と、を備える。【選択図】図１
2017186808.tif 000002
【特許請求の範囲】
【請求項１】
架構に設けられ、互いに対向する一対の連結部と、
材軸方向に延びる貫通孔を有し、一対の前記連結部の間に配置される木質ブレースと、
前記貫通孔に貫通された状態で、一対の前記連結部同士を連結する引張線材と、
を備える木質ブレース構造。
【請求項２】
前記連結部は、前記木質ブレースの端面が接触されるとともに、前記引張線材の端部が貫通される連結ベースを有し、
前記引張線材の前記端部には、前記連結ベースを挟んで前記木質ブレースと反対側に配置され、該連結ベースに係止される係止部材が設けられる、
請求項１に記載の木質ブレース構造。
【請求項３】
前記連結部には、前記木質ブレースの側面に沿って配置されるずれ止め部が設けられる、
請求項１又は請求項２に記載の木質ブレース構造。
【発明の詳細な説明】
【技術分野】
【０００１】
本発明は、木質ブレース構造に関する。
【背景技術】
【０００２】
木材によって形成された木質ブレースが知られている（例えば、特許文献１，２参照）。
【０００３】
特許文献２に開示された技術では、架構に設けられた一対の取付金物に、木質ブレースの両端部がそれぞれ固定されており、当該木質ブレースによって一対の取付金物が連結されている。また、一対の取付金物には、木質ブレースの側面に沿って配置された鋼筋かいの両端部がそれぞれ固定されており、当該鋼筋かいによって一対の取付金物が連結されている。これにより、特許文献２に開示された技術では、地震時に木質ブレースが圧縮力を負担する一方で、鋼筋かいが引張力を負担可能とされている。
【先行技術文献】
【特許文献】
【０００４】
【特許文献１】特開２０１５−１４０６１６号公報
【特許文献２】特開平１０−２３７９５０号公報
【発明の概要】
【発明が解決しようとする課題】
【０００５】
しかしながら、特許文献２に開示された技術では、前述したように、木質ブレース及び鋼筋かいによって、一対の取付金物が連結されている。そのため、一対の取付金物から鋼筋かいに引張力が伝達される際には、一対の取付金物から木質ブレースにも引張力が伝達される。そのため、木質ブレースが破損等する可能性がある。
【０００６】
本発明は、上記の事実を考慮し、地震時に引張力を負担可能にしつつ、木質ブレースの破損を抑制することができる木質ブレース構造を提供することを目的とする。
【課題を解決するための手段】
【０００７】
請求項１に記載の木質ブレース構造は、架構に設けられ、互いに対向する一対の連結部と、材軸方向に延びる貫通孔を有し、一対の前記連結部の間に配置される木質ブレースと、前記貫通孔に貫通された状態で、一対の前記連結部同士を連結する引張線材と、を備える。
【０００８】
請求項１に係る木質ブレース構造によれば、木質ブレースは、材軸方向に延びる貫通孔を有し、架構に設けられた一対の連結部の間に配置される。また、引張線材は、木質ブレースの貫通孔に貫通された状態で、一対の連結部同士を連結する。
【０００９】
これにより、例えば、地震時における架構のせん断変形に伴って、一対の連結部の間隔が狭くなると、一対の連結部から木質ブレースに圧縮力が伝達される。この圧縮力に木質ブレースが抵抗することにより、架構のせん断変形量が低減される。つまり、木質ブレースが、圧縮ブレースとして機能する。
【００１０】
一方、地震時における架構のせん断変形に伴って、一対の連結部の間隔が広くなると、一対の連結部から引張線材に引張力が伝達される。この引張力に対して引張線材が抵抗することにより、架構のせん断変形量が低減される。つまり、引張線材が、引張ブレースとして機能する。
【００１１】
ここで、木質ブレースは、一対の連結部の間に配置されるが、一対の連結部同士を連結していない。そのため、一対の連結部の間隔が広くなっても、木質ブレースに引張力が伝達されない。したがって、引張力による木質ブレースの破損等が抑制される。
【００１２】
このように本発明では、地震時に、引張力を負担可能にしつつ、木質ブレースの破損を抑制することができる。
【００１３】
また、引張線材は、木質ブレースの貫通孔に貫通されるため、木質ブレースの外部から見え難い。したがって、木質ブレースの意匠性が向上する。
【００１４】
請求項２に記載の木質ブレース構造は、請求項１に記載の木質ブレース構造において、前記連結部は、前記木質ブレースの端面が接触されるとともに、前記引張線材の端部が貫通される連結ベースを有し、前記引張線材の前記端部には、前記連結ベースを挟んで前記木質ブレースと反対側に配置され、該連結ベースに係止される係止部材が設けられる。
【００１５】
請求項２に係る木質ブレース構造によれば、連結部は、木質ブレースの端面が接触される連結ベースを有する。この連結ベースには、引張線材の端部が貫通される。
【００１６】
ここで、引張線材の端部には、係止部材が設けられる。係止部材は、連結ベースを挟んで木質ブレースと反対側に配置される。この係止部材を連結ベースに係止することにより、引張線材の端部が連結ベースに連結される。これにより、地震時における架構のせん断変形に伴って、一対の連結ベースの間隔が広くなった場合に、一対の連結ベースから係止部材を介して引張線材に引張力が伝達される。
【００１７】
一方、地震時における架構のせん断変形に伴って、一対の連結ベースの間隔が狭くなると、連結ベースから係止部材が離れ、当該連結ベースと係止部材との係止状態が解除される。そのため、一対の連結ベースの変位に、引張線材が追従しない。したがって、一対の連結ベースの間隔が狭くなった場合には、一対の連結ベースから木質ブレースに圧縮力が伝達されるが、引張線材には圧縮力が伝達されない。これにより、引張線材の軸剛性（圧縮軸剛性）を考慮せずに、木質ブレースの軸剛性（圧縮軸剛性）を設定することができる。したがって、木質ブレースの設計が容易となる。
【００１８】
請求項３に記載の木質ブレース構造は、請求項１又は請求項２に記載の木質ブレース構造において、前記連結部には、前記木質ブレースの側面に沿って配置されるずれ止め部が設けられる。
【００１９】
請求項３に係る木質ブレース構造によれば、連結部には、ずれ止め部が設けられる。ここで、木質ブレースは、一対の連結部同士を連結していない。そのため、一対の連結部に対して、木質ブレースの端部がずれる可能性がある。特に、地震時における架構のせん断変形に伴って一対の連結部の間隔が広くなると、連結部に対して木質ブレースの端部がずれ易くなる。
【００２０】
これに対して本発明では、前述したように、連結部にずれ止め部が設けられる。ずれ止め部は、木質ブレースの側面に沿って配置される。このずれ止め部によって、連結部に対して木質ブレースの端部がずれることが抑制される。
【００２１】
これにより、地震時における架構のせん断変形に伴って一対の連結部の間隔が狭くなった場合に、一対の連結部から木質ブレースの端部に圧縮力をより確実に伝達することができる。つまり、本発明では、地震時に、木質ブレースを圧縮ブレースとしてより確実に機能させることができる。したがって、架構の耐震性能が向上する。
【発明の効果】
【００２２】
以上説明したように、本発明に係る木質ブレース構造によれば、地震時に引張力を負担可能にしつつ、木質ブレースの破損を抑制することができる。
【図面の簡単な説明】
【００２３】
【図１】第１実施形態に係る木質ブレース構造が適用された木質ブレースを示す立面図である。
【図２】図１に示される木質ブレースの端部を示す拡大立面図である。
【図３】図２の３−３線断面図である。
【図４】（Ａ）及び（Ｂ）は、地震時における架構及び木質ブレースの変形状態を示す模式図である。
【図５】連結ベースに対するナットの係止が解除された状態を示す図２に対応する拡大立面図である。
【図６】第２実施形態に係る木質ブレース構造が適用された一対の木質ブレースを示す立面図である。
【図７】図６の一部拡大立面図である。
【図８】（Ａ）は、第１実施形態における連結ベースの変形例を示す図２に対応する立面図であり、（Ｂ）は、図８（Ａ）の８Ｂ−８Ｂ線断面図である。
【発明を実施するための形態】
【００２４】
以下、図面を参照しながら、本発明の実施形態に係る木質ブレース構造について説明する。
【００２５】
（第１実施形態）
先ず、第１実施形態について説明する。
【００２６】
図１に示されるように、本実施形態に係る木質ブレース構造２０は、一対のベースブラケット２２と、一対の端部ブラケット２４と、木質ブレース３０と、複数の引張線材４０とを備えている。
【００２７】
一対のベースブラケット２２は、架構１０に設けられている。架構１０は、一対の柱１２と、一対の柱１２に架設された上下の梁１４とを有している。この架構１０の対角上に、互い対向する一対のベースブラケット２２が設けられている。なお、架構１０は、鉄骨造や鉄筋コンクリート造、鉄筋鉄骨コンクリート造等であっても良い。
【００２８】
ベースブラケット２２は、金属製とされており、架構１０の構面の角部（隅部）に、柱１２及び梁１４に亘って配置されている。また、ベースブラケット２２は、ブラケット本体部２２Ａと、フランジ部２２Ｂと、固定プレート２２Ｃとを有している。ブラケット本体部２２Ａは、リブ２２Ｄによって補強されている。このブラケット本体部２２Ａの一端部には、柱１２及び梁１４に固定されるフランジ部２２Ｂが設けられている。また、ブラケット本体部２２Ａの他端部には、端部ブラケット２４が固定される固定プレート２２Ｃが設けられている。
【００２９】
一対の端部ブラケット２４は、金属製とされており、一対のベースブラケット２２の間に、互いに対向して配置されている。各端部ブラケット２４は、ブラケット本体部２４Ａと、固定プレート２４Ｂと、連結ベース２４Ｃとを有している。ブラケット本体部２４Ａは、断面十字状に形成されている。このブラケット本体部２４Ａの一端部には、固定プレート２４Ｂが設けられている。固定プレート２４Ｂは、前述したベースブラケット２２の固定プレート２２Ｃに重ねられた状態でボルト等によって固定されている。
【００３０】
ブラケット本体部２４Ａの他端部には、連結ベース２４Ｃが設けられている。連結ベース２４Ｃは、矩形の板状に形成されている。ここで、一対の端部ブラケット２４の連結ベース２４Ｃは、架構１０の対角方向（矢印Ｚ方向）に、互いに対向して配置されている。この一対の連結ベース２４Ｃの間に、木質ブレース３０が配置されている。
【００３１】
なお、一対の連結ベース２４Ｃは、架構１０の対角方向に限らず、上下方向（又は水平方向）に対して傾斜する方向に、互いに対向していれば良い。また、本実施形態では、ベースブラケット２２及び端部ブラケット２４によって連結部が構成されている。
【００３２】
木質ブレース３０は、一対の連結ベース２４Ｃの対向方向を材軸方向（矢印Ｚ方向）として配置されている。この木質ブレース３０は、複数の分割ピース３２を有している。各分割ピース３２は、例えば、集成材や無垢材等の木質材料によって、直方体状に形成されている。これらの分割ピース３２は、木質ブレース３０の材軸方向に配列されている。
【００３３】
図２に示されるように、木質ブレース３０は、両端の端面３０Ｔを連結ベース２４Ｃの内面２４Ｃ１に接触させた状態で、一対の連結ベース２４Ｃの間に配置されている。一対の連結ベース２４Ｃは、木質ブレース３０の両端の端面３０Ｔに、それぞれ重ねられている。また、各連結ベース２４Ｃは、木質ブレース３０の端面３０Ｔに固定（接合）されておらず、当該端面３０Ｔとは木質ブレース３０の材軸方向に離間可能（相対変位可能）に接触されている。
【００３４】
各分割ピース３２には、木質ブレース３０の材軸方向に延びる複数の貫通孔３４が形成されている。図３に示されるように、貫通孔３４は、分割ピース３２の各角部に形成されており、当該分割ピース３２を材軸方向に貫通している。また、各貫通孔３４は、円形状に形成されている。さらに、隣り合う分割ピース３２の貫通孔３４は、木質ブレース３０の材軸方向に、互いに接続（連通）されている。
【００３５】
なお、貫通孔３４の形状は、適宜変更可能であり、例えば、楕円形状や矩形状であっても良い。また、貫通孔３４の配置も適宜変更可能である。
【００３６】
貫通孔３４には、引張線材４０が貫通されている。引張線材４０は、例えば、ＰＣ鋼棒やＰＣ鋼線、鉄筋等によって形成される。ここで、貫通孔３４の直径は、引張線材４０の直径（＝２ｒ）よりも大きくされている。また、貫通孔３４には、グラウト等の充填材が充填されておらず、分割ピース３２に引張線材４０が固定されていない（アンボンド）。これにより、貫通孔３４に対して引張線材４０が、軸方向にスライド可能となっている。
【００３７】
図２に示されるように、引張線材４０の端部は、連結ベース２４Ｃに形成された連結孔４２に貫通されている。連結孔４２は、円形状に形成されるとともに、連結ベース２４Ｃを厚み方向に貫通している。また、連結孔４２の直径は、引張線材４０の直径（＝２ｒ）よりも大きくされている。さらに、連結孔４２には、グラウト等の充填材が充填されておらず、連結ベース２４Ｃに対して引張線材４０が固定されていない（アンボンド）。これにより、連結孔４２に対して引張線材４０が軸方向にスライド可能とされている。
【００３８】
また、引張線材４０の両端の端部には、ネジが切られたネジ部４０Ａが形成されている。このネジ部４０Ａには、係止部材の一例としてのナット４４が取り付けられている。ナット４４は、連結ベース２４Ｃを挟んで木質ブレース３０と反対側に配置されている。
【００３９】
ナット４４は、引張線材４０のネジ部４０Ａに締め込まれた状態で、連結ベース２４Ｃの外面２４Ｃ２に解除可能に係止されている。これらのナット４４及び引張線材４０によって、一対の連結ベース２４Ｃ同士が連結されている。また、ナット４４を引張線材４０のネジ部４０Ａに締め込むことにより、引張線材４０に引張力が付与されている。つまり、本実施形態の引張線材４０には、プレテンションが導入されている。これにより、一対の連結ベース２４Ｃを介して木質ブレース３０に圧縮力（プレストレス）が導入されている。この結果、隣り合う分割ピース３２が圧着されている。なお、本実施形態では、ナット４４は、ダブルナットとされているが、シングルナットであっても良い。
【００４０】
次に、第１本実施形態の作用について説明する。
【００４１】
本実施形態に係る木質ブレース構造２０によれば、架構１０には、一対の端部ブラケット２４が設けられている。一対の端部ブラケット２４は、一対のベースブラケット２２を介して架構１０に固定されている。また、一対の端部ブラケット２４は、架構１０の対角方向に、互いに対向する一対の連結ベース２４Ｃを有している。この一対の連結ベース２４Ｃの間に、木質ブレース３０が配置されている。
【００４２】
木質ブレース３０は、両端の端面３０Ｔを一対の連結ベース２４Ｃの内面２４Ｃ１にそれぞれ離間可能に接触させた状態で、一対の連結ベース２４Ｃの間に配置されている。この木質ブレース３０は、複数の分割ピース３２を有している。各分割ピース３２は、木質ブレース３０の材軸方向に延びる複数の貫通孔３４を有している。また、各貫通孔３４には、引張線材４０がスライド可能に貫通されている。これらの引張線材４０によって、一対の連結ベース２４Ｃ同士が連結されている。
【００４３】
これにより、例えば、図４（Ａ）に矢印Ｐ１で示されるように、地震時における架構１０のせん断変形に伴って、一対の連結ベース２４Ｃの間隔Ｇが狭くなると、一対の連結ベース２４Ｃから木質ブレース３０に圧縮力Ｓが伝達される。この圧縮力Ｓに木質ブレース３０が軸剛性（圧縮軸剛性）で抵抗することにより、架構１０のせん断変形量が低減される。つまり、木質ブレース３０が、圧縮ブレースとして機能する。
【００４４】
一方、図４（Ｂ）に矢印Ｐ２で示されるように、地震時における架構１０のせん断変形に伴って、一対の連結ベース２４Ｃの間隔Ｇが広くなると、一対の連結ベース２４Ｃから引張線材４０に引張力Ｔが伝達される。この引張力Ｔに対して引張線材４０（図１参照）が軸剛性（引張軸剛性）で抵抗することにより、架構１０のせん断変形量が低減される。つまり、引張線材４０が、引張ブレースとして機能する。
【００４５】
ここで、木質ブレース３０は、一対の連結ベース２４Ｃの間に配置されており、その両端の端面３０Ｔに一対の連結ベース２４Ｃがそれぞれ接触されているが、一対の連結ベース２４Ｃには固定されていない。つまり、木質ブレース３０は、一対の連結ベース２４Ｃ同士を連結していない。そのため、一対の連結ベース２４Ｃの間隔Ｇが広くなっても、一対の連結ベース２４Ｃから木質ブレース３０に引張力Ｔが伝達されない。したがって、引張力Ｔによる木質ブレース３０の破損等が抑制される。
【００４６】
このように本実施形態は、地震時に、引張力Ｔを負担可能にしつつ、木質ブレース３０の破損を抑制することができる。
【００４７】
また、引張線材４０は、木質ブレース３０の貫通孔３４に貫通されるため、木質ブレース３０の外部から見え難い。したがって、木質ブレース３０の意匠性が向上する。
【００４８】
さらに、図２に示されるように、引張線材４０の端部のネジ部４０Ａには、ナット４４が取り付けられている。ナット４４は、連結ベース２４Ｃを挟んで木質ブレース３０と反対側に配置されており、連結ベース２４Ｃの外面２４Ｃ２に係止されている。これにより、地震時における架構１０のせん断変形に伴って、一対の連結ベースの間隔Ｇが広くなると、一対の連結ベース２４Ｃからナット４４を介して引張線材４０に引張力Ｔが伝達される。
【００４９】
一方、地震時における架構１０のせん断変形に伴って、一対の連結ベース２４Ｃの間隔Ｇが狭くなると、図５に示されるように、引張線材４０が連結ベース２４Ｃに対して軸方向にスライドし、連結ベース２４Ｃの外面２４Ｃ２からナット４４が離れる。これにより、連結ベース２４Ｃとナット４４との係止状態が解除されるため、一対の連結ベース２４Ｃの変位に引張線材４０が追従しない。
【００５０】
そのため、一対の連結ベース２４Ｃの間隔Ｇが狭くなった場合には、一対の連結ベース２４Ｃから木質ブレース３０に圧縮力Ｓが伝達されるが、一対の連結ベース２４Ｃから引張線材４０に圧縮力Ｓは伝達されない。したがって、引張線材４０の軸剛性（圧縮軸剛性）を考慮せずに、木質ブレース３０の軸剛性（圧縮軸剛性）を設定することができる。よって、木質ブレース３０の設計が容易となる。
【００５１】
また、本実施形態では、引張線材４０に引張力（プレテンション）が導入されており、これにより、木質ブレース３０に圧縮力（プレストレス）が導入されている。そのため、引張線材４０に引張力Ｔが作用した場合に、隣り合う分割ピース３２が離れ難くなる。この結果、隣り合う分割ピース３２がずれることが抑制される。
【００５２】
さらに、本実施形態の木質ブレース３０は、複数の分割ピース３２を有している。このように木質ブレース３０を複数の分割ピース３２に分割することにより、木質ブレース３０（分割ピース３２）の運搬性、揚重性、及び製作性等が向上する。
【００５３】
（第２実施形態）
次に、第２実施形態について説明する。なお、第１実施形態と同様の構成の部材等については、同符号を付して説明を適宜省略する。
【００５４】
図６に示されるように、第２実施形態に係る木質ブレース構造５０では、一対の木質ブレース３０Ａ，３０Ｂが逆Ｖ字状（Ａ字状）に架構１０に設けられている。具体的には、架構１０の構面における下側の両角部（隅部）には、ベースブラケット２２がそれぞれ設けられている。各ベースブラケット２２には、一対の木質ブレース３０Ａ，３０Ｂの下側の端部ブラケット２４が固定されている。
【００５５】
一方、上側の梁１４の梁中央部１４Ｍには、ベースブラケット５２が設けられている。このベースブラケット５２には、一対の木質ブレース３０Ａ，３０Ｂの上側の端部ブラケット２４がそれぞれ固定されている。
【００５６】
ここで、図７に示されるように、架構１０に一対の木質ブレース３０Ａ，３０Ｂが逆Ｖ字状に配置される場合、例えば、地震時に架構１０が矢印Ｐ２方向にせん断変形すると、一方の木質ブレース３０Ａ（引張線材４０）は引張ブレースとして機能し、他方の木質ブレース３０Ｂは圧縮ブレースとして機能する。なお、一対の木質ブレース３０Ａ，３０Ｂは、上下方向（鉛直方向）に対して略左右対称に配置されており、上下方向に対する一対の木質ブレース３０Ａ，３０Ｂの傾斜角度θが略同じになっている。
【００５７】
この場合、一方の木質ブレース３０Ａの引張線材４０から梁中央部１４Ｍに作用する反力ＲＡの鉛直成分（下向き）Ｒｙと、他方の木質ブレース３０Ｂから梁中央部１４Ｍに作用する反力ＲＢの鉛直成分（上向き）Ｒｙとの差が大きいと、梁中央部１４Ｍに発生する応力が大きくなり、当該梁中央部１４Ｍに補強等が必要になる可能性がある。なお、図７では、反力ＲＡの鉛直成分Ｒｙが、反力ＲＢの鉛直成分Ｒｙよりも小さくなっている。
【００５８】
この対策として本実施形態では、一方の木質ブレース３０Ａの引張線材４０の軸剛性（引張軸剛性）Ｋ１と、他方の木質ブレース３０Ｂの軸剛性（圧縮軸剛性）Ｋ２とが、同等に設定されている。これにより、反力ＲＡ，ＲＢの鉛直成分Ｒｙが同等となり、これらの反力ＲＡ，ＲＢが互いに打ち消し合うため、梁中央部１４Ｍに発生する応力が低減される。これと同様に、一方の木質ブレース３０Ａの軸剛性（圧縮軸剛性）Ｋ２と、他方の木質ブレース３０Ｂの引張線材４０の軸剛性（引張軸剛性）Ｋ１とが、同等に設定されている。
【００５９】
なお、引張線材４０の軸剛性Ｋ１、及び木質ブレース３０の軸剛性Ｋ２は、次の式から求められる。
引張線材の軸剛性Ｋ１    ＝（Ｅ１×断面積Ａ１）／長さＬ
木質ブレースの軸剛性Ｋ２＝（Ｅ２×断面積Ａ２）／長さＬ
ただし、
Ｅ１：引張線材のヤング係数
Ａ１：引張線材の断面積（＝π×半径ｒ２）
Ｅ２：木質ブレースのヤング係数
Ａ２：木質ブレースの断面積（＝縦幅ａ×横幅ｂ−貫通孔による断面欠損）
Ｌ  ：木質ブレース及び引張線材の材軸方向の長さ（力の作用点間の長さ）
である。なお、各種の寸法は、図３を参照する。
【００６０】
ここで、例えば、引張線材４０がＰＣ鋼棒の場合、ＰＣ鋼棒のヤング係数Ｅ１は、木質ブレース３０Ａ，３０Ｂのヤング係数Ｅ２の約２０倍となる。したがって、この場合には、木質ブレース３０Ａ，３０Ｂに対するＰＣ鋼棒（×４本）の断面積比を約１／２０にすることで、ＰＣ鋼棒の軸剛性Ｋ１と木質ブレース３０Ａ，３０Ｂの軸剛性Ｋ２とを同等にすることができる。
【００６１】
なお、貫通孔３４による木質ブレース３０Ａ，３０Ｂの断面欠損が無視できる程度に小さい場合には、当該木質ブレース３０Ａ，３０Ｂの断面積Ａ２の算出において貫通孔３４の断面欠損分を考慮しなくても良い。
【００６２】
また、ここでいう軸剛性Ｋ１と軸剛性Ｋ２とが「同等」とは、軸剛性Ｋ１と軸剛性Ｋ２とが同一の場合だけでなく、梁中央部１４Ｍに発生する応力が問題にならない程度に軸剛性Ｋ１と軸剛性Ｋ２との差異が小さい場合を含む概念である。
【００６３】
次に、第２実施形態の作用について説明する。
【００６４】
本実施形態に係る木質ブレース構造５０によれば、架構１０に一対の木質ブレース３０Ａ，３０Ｂが逆Ｖ字状に配置されている。そして、一方の木質ブレース３０Ａの引張線材４０の軸剛性Ｋ１と、他方の木質ブレース３０Ｂの軸剛性Ｋ２とが、同等に設定されている。これと同様に、一方の木質ブレース３０Ａの軸剛性Ｋ２と、他方の木質ブレース３０Ｂの引張線材４０の軸剛性Ｋ１とが、同等に設定されている。
【００６５】
これにより、例えば、図７に示されるように、一方の木質ブレース３０Ａの引張線材４０から梁中央部１４Ｍに作用する反力ＲＡの鉛直成分（下向き）Ｒｙと、他方の木質ブレース３０Ｂから梁中央部１４Ｍに作用する反力ＲＢの鉛直成分（上向き）Ｒｙとの差が無くなり、若しくは差が小さくなるため、梁中央部１４Ｍに発生する応力が低減される。したがって、梁中央部１４Ｍに対する補強（曲げ補強）等が低減されるため、コスト削減を図ることができる。
【００６６】
なお、本実施形態では、一対の木質ブレース３０Ａ，３０Ｂが逆Ｖ字状に配置されるが、一対の木質ブレースは、例えば、Ｖ字状に配置されても良い。
【００６７】
次に、上記第１，第２実施形態の変形例について説明する。なお、以下では、上記第１実施形態を例に各種の変形例について説明するが、これらの変形例は、第２実施形態にも適宜適用可能である。
【００６８】
先ず、図８（Ａ）及び図８（Ｂ）に示される変形例では、連結ベース２４Ｃの内面２４Ｃ１に筒状部材６０が設けられている。ずれ止め部の一例としての筒状部材６０は、角形鋼管等によって形成されており、内部に木質ブレース３０の端部が嵌め込まれている。この筒状部材６０は、木質ブレース３０の側面３０Ｓに沿って配置される４枚の周壁部６０Ａを有している。また、筒状部材６０の端部は、連結ベース２４Ｃの内面２４Ｃ１に溶接等によって接合されている。
【００６９】
ここで、木質ブレース３０は、一対の連結ベース２４Ｃ同士を連結していない。そのため、一対の連結ベース２４Ｃに対して、木質ブレース３０の端部がずれる可能性がある。特に、地震時における架構１０のせん断変形に伴って一対の連結ベース２４Ｃの間隔Ｇ（図４（Ｂ）参照）が広くなると、連結ベース２４Ｃに対して木質ブレース３０の端部がずれ易くなる。
【００７０】
これに対して図８（Ａ）及び図８（Ｂ）に示される変形例では、前述したように、連結ベース２４Ｃに筒状部材６０が設けられており、この筒状部材６０によって木質ブレース３０の端部が拘束されている。これにより、地震時における架構１０のせん断変形に伴って一対の連結ベース２４Ｃの間隔Ｇが広くなった場合に、連結ベース２４Ｃに対して木質ブレース３０の端部がずれることが抑制される。
【００７１】
この結果、地震時における架構１０のせん断変形に伴って一対の連結ベース２４Ｃの間隔Ｇ（図４（Ａ）参照）が狭くなった場合に、一対の連結ベース２４Ｃから木質ブレース３０の端部に、圧縮力Ｓをより確実に伝達することができる。つまり、地震時に、木質ブレース３０を圧縮ブレースとしてより確実に機能させることができる。したがって、架構１０の耐震性能が向上する。
【００７２】
なお、図８（Ａ）及び図８（Ｂ）に示される変形例では、ずれ止め部が筒状部材６０とされるが、ずれ止め部は、これに限らない。ずれ止め部としては、連結ベース２４Ｃの内面２４Ｃ１から突出し、木質ブレース３０の側面３０Ｓに沿って配置されるリブ等であっても良い。
【００７３】
また、隣り合う分割ピース３２の接触面（端面）に、コッター等の凹凸部を設け、地震時における隣り合う分割ピース３２のずれを抑制することも可能である。
【００７４】
また、上記実施形態では、引張線材４０の両端部に係止部材としてのナット４４がそれぞれ設けられるが、上記実施形態はこれに限らない。引張線材４０には、一対の連結ベース２４Ｃから圧縮力Ｓが導入されなければ良い。そのため、例えば、引張線材４０の一方の端部は、溶接等によって連結ベース２４Ｃに固定されても良い。つまり、係止部材は、引張線材４０の少なくとも一方の端部に設けることができる。
【００７５】
また、上記実施形態では、係止部材がナット４４とされるが、係止部材としては、連結ベース２４Ｃに係止可能なクリップ等の他の部材を用いても良い。また、上記実施形態では、連結ベース２４Ｃに円形状の連結孔４２が形成されるが、連結孔４２の形状は、矩形状等であっても良い。また、連結ベース２４Ｃには、連結孔４２に替えて、引張線材４０を通す溝や切欠きを形成しても良い。
【００７６】
また、上記実施形態では、木質ブレース３０に複数の引張線材４０が設けられるが、木質ブレース３０には、少なくとも１本の引張線材４０があれば良い。また、上記実施形態では、引張線材４０にプレテンションが導入されるが、引張線材４０には、プレテンションを導入しなくても良い。
【００７７】
また、上記実施形態の木質ブレース３０は、複数の分割ピース３２を有するが、分割ピースの数や大きさは、適宜変更可能である。また、木質ブレースを複数の分割ピースに分割せずに、木質ブレースを１本の木質部材で形成しても良い。さらに、木質ブレースの断面形状等は、適宜変更可能であり、例えば、円形状であっても良い。
【００７８】
また、上記実施形態では、連結部がベースブラケット２２及び端部ブラケット２４によって構成されるが、上記実施形態はこれに限らない。例えば、ベースブラケット２２を省略し、端部ブラケット２４を架構１０に固定しても良い。この場合、端部ブラケット２４によって連結部が構成される。また、端部ブラケットは、構造は適宜変更可能である。
【００７９】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００８０】
１０    架構
２０    木質ブレース構造
２２    ベースブラケット（連結部）
２４    端部ブラケット（連結部）
２４Ｃ  連結ベース
３０    木質ブレース
３０Ａ  木質ブレース
３０Ｂ  木質ブレース
３０Ｓ  側面（木質ブレースの側面）
３０Ｔ  端面（木質ブレースの端面）
３４    貫通孔
４０    引張線材
４４    ナット（係止部材）
５０    木質ブレース構造
５２    ベースブラケット（連結部）
６０    筒状部材（ずれ止め部）
【図１】
2017186808.tif 000003
【図２】
2017186808.tif 000004
【図３】
2017186808.tif 000005
【図４】
2017186808.tif 000006
【図５】
2017186808.tif 000007
【図６】
2017186808.tif 000008
【図７】
2017186808.tif 000009
【図８】
2017186808.tif 000010